(57)【要約】【課題】被覆が裂ける等を回避しつつ電線を適切に固定することができる電線取付金具を提供する。【解決手段】自動車のボディにアンテナケーブル２０を固定するアースプレート１０は、固定板１１の前縁から延出して略円弧形に折り返された圧着片１２を備え、固定板１１の前縁部から各圧着片１２の根元部分にわたる位置には、圧着片１２内に挿通されたアンテナケーブル２０が圧着片１２の延出端１２Ａよりも内側に留まるように規制する規制突部１４が設けられている。この規制突部１４により、アンテナケーブル２０が圧着片１２から外側にずれ、圧着片１２の延出端１２Ａと固定板１１との間で被覆２４を挟むことに起因して、被覆２４を裂いてしまうことを回避でき、アンテナケーブル２０を適切に固定できる。【選択図】　図１
2004040867.tif 000002
【特許請求の範囲】
【請求項１】
相手部材に固定される固定板と、この固定板の端縁から略円形に回曲して折り返された圧着片とを備え、この圧着片内に電線を挿通したのち圧着片を圧着することにより電線を保持するようにした電線取付金具において、前記固定板には、前記圧着片内に挿通された電線が前記圧着片の先端位置よりも内側に留まるように規制する規制突部が設けられていることを特徴とする電線取付金具。
【請求項２】
前記規制突部が、前記圧着片の先端を突き当て可能となっていることを特徴とする請求項１記載の電線取付金具。
【請求項３】
前記電線が同軸ケーブルであることを特徴とする請求項２記載の電線取付金具。
【請求項４】
前記規制突部が、前記固定板を叩き出すことにより形成されていることを特徴とする請求項１ないし請求項３のいずれかに記載の電線取付金具。
【発明の詳細な説明】
【０００１】
【発明の属する技術分野】
本発明は、電線取付金具に関する。
【０００２】
【従来の技術】
例えば電線を単線で配線するに当たり、その配線途中をボディ等に固定するために用いる電線取付金具として、図７に示すようなものが知られている。この電線取付金具１は、ボディに固定される固定板２の一縁から、圧着片３が略円形に回曲して折り返された構造であって、圧着片３内に電線５を径方向に挿通したのち、圧着片３を圧着、いわゆるかしめることで、電線５を固定するようになっている。
【０００３】
【発明が解決しようとする課題】
ところで、このような電線取付金具１を用いて電線５を固定する場合、圧着片３をかしめる量の調節が結構難しい。例えば、かしめ量が不足すれば電線５の固定が不十分となるのはもちろんのこと、逆にかしめ量が過剰であると、図８に示すように、圧着片３の先端４と固定板２との間で電線５の被覆６を挟み、裂いてしまうおそれがあった。
本発明は上記のような事情に基づいて完成されたものであって、その目的は、被覆が裂ける等を回避しつつ電線を適切に固定することができる電線取付金具を提供することを目的とする。
【０００４】
【課題を解決するための手段】
上記の目的を達成するための手段として、請求項１の発明は、相手部材に固定される固定板と、この固定板の端縁から略円形に回曲して折り返された圧着片とを備え、この圧着片内に電線を挿通したのち圧着片を圧着することにより電線を保持するようにした電線取付金具において、前記固定板には、前記圧着片内に挿通された電線が前記圧着片の先端位置よりも内側に留まるように規制する規制突部が設けられている構成としたところに特徴を有する。
【０００５】
請求項２の発明は、請求項１に記載のものにおいて、前記規制突部が、前記圧着片の先端を突き当て可能となっているところに特徴を有する。
請求項３の発明は、請求項２記載のものにおいて、前記電線が同軸ケーブルであるところに特徴を有する。
請求項４の発明は、請求項１ないし請求項３のいずれかに記載のものにおいて、前記規制突部が、前記固定板を叩き出すことにより形成されているところに特徴を有する。
【０００６】
【発明の作用及び効果】
＜請求項１の発明＞
圧着片内に挿通された電線は、規制突部で規制されて圧着片の先端位置よりも内側に留まる。このため、圧着片が圧着された場合に、電線が不必要に外側にずれることが回避され、圧着片の先端と固定板との間で被覆を挟むことに起因して被覆を裂いてしまうことが防止でき、もって電線を適切に固定することができる。
【０００７】
＜請求項２の発明＞
圧着片の先端が規制突部に突き当たることで、圧着量が一定に保持される。言い換えると、圧着片が常に所定の形状で圧着され、例えば電線を全周からほぼ均一の力で締め付けることができて、強固に保持することができる。
また、圧着片の圧着量を一定にすべく圧着力をいちいち気に掛ける必要が無いから、作業能率を向上させることができる。
【０００８】
＜請求項３の発明＞
同軸ケーブルの場合、ほぼ真円状態を保って圧着されることにより、内外の導体が同心円状に配され、信号伝達に好適に対応し得る。また、同軸形式のシールド電線の場合は、正規のシールド特性を得ることができる。
＜請求項４の発明＞
叩き出しにより規制突部が形成されるから、その形成が容易であり、製造コストの低減に寄与できる。
【０００９】
【発明の実施の形態】
以下、本発明の一実施形態を図１ないし図６に基づいて説明する。この実施形態では、自動車に搭載されたオーディオ機器に接続されるアンテナケーブル２０を、配線途中で接地しつつボディに固定するアースプレート（電線取付金具）１０について例示している。なお、以下では、図１の右奥側を前方として説明する。
【００１０】
先にアンテナケーブル２０を説明すると、このアンテナケーブル２０は、同軸形式のシールド電線であって、図４に示すように、軸心側から、複数の金属細線を束ねた芯線からなる内導体２１、ポリエチレンからなる絶縁層２２、金属細線の編組線からなるシールド層２３、ゴム製の被覆２４を順次に配した構造となっている。そして、被覆２４が一部においてアンテナケーブル２０の全周にわたって剥がされ、シールド層２３が露出されている（図１、図６参照）。
【００１１】
アースプレート１０は、導電性に優れた金属板を複数段階にプレス加工して形成されており、加工工程の途中で、図２に示す形状に形成される。この工程では、略方形の固定板１１が形成され、その中央には、図示しないビスを挿通してボディに固定するためのビス孔１１Ａが開口されている。
固定板１１の前縁には、その両端から２本の圧着片１２が、中央から１本の接続片１３がそれぞれ前方に延出して形成されている。圧着片１２は、所定幅の舌片状であり、一方、接続片１３は、圧着片１２よりも細く、かつ、先細り形状に形成されている。
【００１２】
最終的には、両圧着片１２は、図１及び図３に示すように、固定板１１の前縁から略円弧形（半円強）に回曲されて折り返され、その内部にアンテナケーブル２０が、径方向に挿通可能とされており、延出端１２Ａは外側に開かれている。接続片１３は、圧着片１２と同じ方向にＵ字状に回曲されて折り返され、その内部に、シールド層２３を露出したアンテナケーブル２０が径方向に挿通できるようになっている。
【００１３】
さて、図１及び図４に示すように、固定板１１における前縁部から各圧着片１２の根元部分にわたる位置には、規制突部１４が叩き出しにより形成されている。規制突部１４は切頭四角錐形をなし、その前縁が圧着片１２の延出端１２Ａよりも前方（圧着片１２の内側）となるように形成され、挿通されたアンテナケーブル２０を延出端１２Ａよりも内側に留めるように規制する規制面１４Ａとなっている（図５参照）。また、規制突部１４は、圧着片１２が固定板１１に向けてかしめられたときに、延出端１２Ａを頂面１４Ｂに対して突き当て可能となっている。
【００１４】
アンテナケーブル２０のアースを取る手順は以下のようである。アースプレート１０は、車両のボディの所定位置においてビス止めして固定される。この状態から、露出されたシールド層２３を接続片１３の位置に合わせつつ、図１及び図４の矢線に示すように、アンテナケーブル２０を両圧着片１２の内部に向けて径方向に挿通する。
アンテナケーブル２０は、延出端１２Ａで案内されつつ規制突部１４を乗り越えてその奥側に嵌められ（図４の鎖線参照）、アンテナケーブル２０は、規制突部１４の規制面１４Ａと圧着片１２の内面との間に挟まれた状態で、圧着片１２内に留まるように規制される。
なお併せて、露出したシールド層２３が接続片１３内に挿通される。
【００１５】
次に、圧着片１２並びに接続片１３を、かしめ用工具（図示せず）を利用してかしめる。圧着片１２は図５及び図６に示すように、延出端１２Ａの根元側が規制突部１４の頂面１４Ｂにおける後端側（図５の左側）に突き当たるまで、ほぼ円形に曲げ変形され、アンテナケーブル２０が締め付けられることで固定される。
一方、接続片１３は、シールド層２３の上面に押し付けられ、さらにハンダ付けされることにより、シールド層２３がアースプレート１０に電気的に接続される。
以上により、アンテナケーブル２０のシールド層２３がアースプレート１０を介してボディに接地されるとともに、同アースプレート１０により配線途中がボディに固定されたことになる。
【００１６】
以上のように上記実施形態によれば、アンテナケーブル２０は、圧着片１２の内面と規制突部１４の規制面１４Ａとの間で、前後方向への移動が規制され、圧着片１２の延出端１２Ａより内側に留まる。このため、圧着片１２を圧着する際に、アンテナケーブル２０の位置がずれることが回避され、圧着片１２の延出端１２Ａと固定板１１との間に被覆２４を挟むことに起因して、裂いてしまうことが防止でき、もってアンテナケーブル２０を適切に固定できる。
【００１７】
さらに、本実施形態では、延出端１２Ａが規制突部１４の頂面１４Ｂに突き当たることで、圧着させる際の圧着片１２の変形量、すなわち圧着量が一定となる。このため、圧着片１２が所望の略円形状を保ってアンテナケーブル２０をその全周から均一に締め付けることができ、より少ない力でより強固に保持することができる。
また、圧着片１２の圧着量を一定にすべく、かしめ用工具に加える圧着力を気に掛ける必要が無いから、作業能率を向上できる。
【００１８】
特に本実施形態のように、電線として、内導体２１とシールド層２３とが同心円状に配置された同軸形式のシールド電線であるアンテナケーブル２０を用いた場合には、全周にわたって締め付けられるためにアンテナケーブル２０が真円状態のまま変形し、内導体２１とシールド層２３との配置が同心円状に保たれる。よって、アンテナケーブル２０は信号伝達が良好となるとともに、正規のシールド特性を得ることができる。
また、叩き出しにより規制突部１４が設けられているから、アースプレート１０の製造工程が少なくて済み、製造コストの低減に寄与できる。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、電線取付金具として、アンテナケーブル２０を途中で固定し、かつアースを取るためのアースプレート１０を例示したが、接続片１３を設けることなく、すなわちアースを取ることなく電線を固定することにのみに使用するものであってもよい。
（２）上記実施形態では、圧着片１２の先端である延出端１２Ａが規制突部１４に突き当てられる構造としたが、延出端１２Ａが規制突部１４から浮いたり、規制突部１４の後側に突き出した状態でかしめられるようになっていてもよく、そのようなものも本発明の技術的範囲に含まれる。
【００２０】
（３）上記実施形態では、規制突部１４を切頭四角錐形とした例を示したが、かまぼこ状、半球形、四角錐形等、他の形状としてもよい。
（４）本発明は、上記実施形態に例示したアンテナケーブル２０に限らず、芯線の回りを単層の被覆で覆った被覆電線等、他の形式の電線全般に広く適用することができる。
（５）圧着片１２は２個に限らず、１個でもよく、逆に３個以上備えてもよい。
（６）規制突部は、別体に形成したものを溶接等で固定してもよい。
【図面の簡単な説明】
【図１】本発明の一実施形態に係るアンテナケーブルをアースプレートに取り付ける前の状態を示す斜視図
【図２】アースプレートの加工過程における平面図
【図３】アースプレートの平面図
【図４】アンテナケーブルをアースプレートに取り付ける動作を示す一部切欠側面図
【図５】アンテナケーブルの取付完了時の一部切欠側面図
【図６】その斜視図
【図７】従来例の斜視図
【図８】その電線を取り付けた状態を示す一部切欠側面図
【符号の説明】
１０…アースプレート（電線取付金具）
１１…固定板
１２…圧着片
１２Ａ…延出端（先端）
１４…規制突部
１４Ａ…規制面
２０…アンテナケーブル（電線）
２４…被覆
【図１】
2004040867.tif 000003
【図２】
2004040867.tif 000004
【図３】
2004040867.tif 000005
【図４】
2004040867.tif 000006
【図５】
2004040867.tif 000007
【図６】
2004040867.tif 000008
【図７】
2004040867.tif 000009
【図８】
2004040867.tif 000010